【手続補正書】
【提出日】平成18年2月2日(2006.2.2)
【手続補正１】
【補正対象書類名】特許請求の範囲
【補正対象項目名】全文
【補正方法】変更
【補正の内容】
【特許請求の範囲】
【請求項１】
印刷データを生成する端末がネットワークを介して接続された画像形成装置であって、
前記端末より、前記端末において生成された印刷データの存在を示す情報を受信する受信手段と、
前記受信手段で受信した情報に基づいて、前記印刷データを取得するための指示を入力する入力手段と、
前記入力手段から入力された指示に応じて、該指示により特定される前記印刷データを前記ネットワークを介して取得する取得手段と、
前記取得手段が取得した印刷データに基づき出力用紙上に画像を印刷する印刷手段とを有することを特徴とする画像形成装置。
【請求項２】
前記受信手段で受信する情報はユーザ識別子を含み、前記入力手段は前記受信手段で受信したユーザ識別子に対応するユーザＩＤを入力することを特徴とする請求項１に記載の画像形成装置。
【請求項３】
前記入力手段はＩＤカードに記録されたユーザＩＤを入力することを特徴とする請求項２に記載の画像形成装置。
【請求項４】
さらに、原稿上の画像を読み取り画像データを発生する読取手段を有し、前記印刷手段は前記読取手段からの画像データに基づく画像を印刷することを特徴とする請求項１乃至３のいずれかに記載の画像形成装置。
【請求項５】
前記印刷手段は、前記受信手段で受信した情報が示す印刷データに基づく画像を印刷すべきときに前記読取手段からの画像データに基づく画像の印刷中であれば、前記読取手段からの画像データに基づく画像の印刷終了後に前記受信手段で受信した情報が示す印刷データに基づく画像を印刷することを特徴とする請求項４に記載の画像形成装置。
【請求項６】
前記印刷手段は、前記受信手段で受信した情報が示す印刷データに基づく画像を印刷すべきときに前記読取手段からの画像データに基づく画像の印刷中であれば、前記読取手段からの画像データに基づく画像の印刷を中断させた後に前記受信手段で受信した情報が示す印刷データに基づく画像を印刷することを特徴とする請求項４に記載の画像形成装置。
【請求項７】
前記画像形成装置は、更に前記端末において生成された印刷データを保持するファイルサーバと前記ネットワークを介して接続され、
前記取得手段は、前記ファイルサーバから前記印刷データを取得することを特徴とする請求項１に記載の画像形成装置。
【請求項８】
前記受信手段は、前記印刷データの存在を示す情報を、前記端末から送信された印刷要求とともに受信し、
前記受信手段が受信した印刷要求に、前記印刷データが含まれている場合に、該印刷データを記憶する記憶手段を更に備えることを特徴とする請求項１に記載の画像形成装置。
【請求項９】
前記受信手段が受信した印刷要求に、前記印刷データを特定するための印刷データ識別子が含まれていた場合、前記取得手段は、前記入力手段からの前記印刷データを特定するための情報の入力に応じて、前記印刷データ識別子に対応する印刷データを取得することを特徴とする請求項８に記載の画像形成装置。
【請求項１０】
前記印刷手段は、前記受信手段が受信した印刷要求に応じて、前記記憶手段に記憶された印刷データ、或いは前記取得手段が取得した印刷データに基づいて印刷することを特徴とする請求項９に記載の画像形成装置。
【請求項１１】
印刷データを生成する端末とネットワークを介して接続された画像形成装置の制御方法であって、
前記端末より、前記端末において生成された印刷データの存在を示す情報を受信する受信工程と、
前記受信工程で受信した情報に基づいて、前記印刷データを取得するための指示を入力する入力工程と、
前記入力工程で入力された指示に応じて、該指示により特定される前記印刷データを前記ネットワークを介して取得する取得工程と、
前記取得工程で取得した印刷データに基づき出力用紙上に画像を印刷する印刷工程と、
を有することを特徴とする画像形成装置の制御方法。
【請求項１２】
前記画像形成装置は、更に前記端末において生成された前記印刷データを保持するファイルサーバと前記ネットワークを介して接続され、
前記取得工程は、前記ファイルサーバから前記印刷データを取得することを特徴とする請求項１１に記載の画像形成装置の制御方法。
【請求項１３】
前記受信工程は、前記印刷データの存在を示す情報を、前記端末から送信された印刷要求とともに受信し、
前記受信工程で受信した印刷要求に、前記印刷データが含まれている場合に、該印刷データを記憶する記憶工程を更に備えることを特徴とする請求項１１に記載の画像形成装置の制御方法。
【請求項１４】
前記受信工程で受信した印刷要求に、前記印刷データを特定するための印刷データ識別子が含まれていた場合、前記取得工程は、前記入力工程における前記印刷データを特定するための情報の入力に応じて、前記印刷データ識別子に対応する印刷データを取得することを特徴とする請求項１３に記載の画像形成装置の制御方法。
【請求項１５】
前記印刷工程は、前記受信工程で受信した印刷要求に応じて、前記記憶工程で記憶された印刷データ、或いは前記取得工程で取得した印刷データに基づいて印刷することを特徴とする請求項１４に記載の画像形成装置の制御方法。
【請求項１６】
印刷データを生成する端末、印刷データを保持するファイルサーバ、印刷データに基づき出力用紙上に画像を印刷する画像形成装置が互いにネットワークを介して接続された画像形成システムにおける画像形成方法であって、
前記画像形成装置において、
前記端末より、印刷データ或いは前記ファイルサーバに記憶されている印刷データを特定するための印刷データ識別子を含むコマンドを受信し、
前記受信したコマンドに印刷データが含まれていた場合、該印刷データを記憶し、
前記受信したコマンドに基づく印刷データを特定するための情報を入力し、
前記受信したコマンドに印刷データ識別子が含まれていた場合、前記印刷データを特定するための情報の入力に応じて前記ファイルサーバから該印刷データ識別子に対応する印刷データを取り込み、
前記受信したコマンドに応じて前記記憶された印刷データ或いは前記取り込んだ印刷データに基づき出力用紙上に画像を印刷することを特徴とする画像形成方法。
【請求項１７】
前記端末は、印刷データを、前記ファイルサーバ又は前記画像形成装置に選択的に出力することを特徴とする請求項１６に記載の画像形成方法。
【請求項１８】
前記端末は、前記画像形成装置に対し、印刷データに基づく印刷を即時に行わせるか前記画像形成装置からの操作入力後に行わせるか選択することを特徴とする請求項１６又は１７に記載の画像形成方法。
【手続補正２】
【補正対象書類名】明細書
【補正対象項目名】発明の名称
【補正方法】変更
【補正の内容】
【発明の名称】画像形成装置、その制御方法及び画像形成方法
【手続補正３】
【補正対象書類名】明細書
【補正対象項目名】００１１
【補正方法】変更
【補正の内容】
【００１１】
上記課題を解決するため、本発明では、画像形成装置を次の（１）のとおりに、画像形成装置の制御方法を次の（２）のとおりに、画像形成方法を次の（３）のとおりに構成する。
（１）印刷データを生成する端末がネットワークを介して接続された画像形成装置であって、
前記端末より、前記端末において生成された印刷データの存在を示す情報を受信する受信手段と、
前記受信手段で受信した情報に基づいて、前記印刷データを取得するための指示を入力する入力手段と、
前記入力手段から入力された指示に応じて、該指示により特定される前記印刷データを前記ネットワークを介して取得する取得手段と、
前記取得手段が取得した印刷データに基づき出力用紙上に画像を印刷する印刷手段とを有する画像形成装置。
（２）印刷データを生成する端末とネットワークを介して接続された画像形成装置の制御方法であって、
前記端末より、前記端末において生成された印刷データの存在を示す情報を受信する受信工程と、
前記受信工程で受信した情報に基づいて、前記印刷データを取得するための指示を入力する入力工程と、
前記入力工程で入力された指示に応じて、該指示により特定される前記印刷データを前記ネットワークを介して取得する取得工程と、
前記取得工程で取得した印刷データに基づき出力用紙上に画像を印刷する印刷工程と、
を有する画像形成装置の制御方法。
（３）印刷データを生成する端末、印刷データを保持するファイルサーバ、印刷データに基づき出力用紙上に画像を印刷する画像形成装置が互いにネットワークを介して接続された画像形成システムにおける画像形成方法であって、
前記画像形成装置において、
前記端末より、印刷データ或いは前記ファイルサーバに記憶されている印刷データを特定するための印刷データ識別子を含むコマンドを受信し、
前記受信したコマンドに印刷データが含まれていた場合、該印刷データを記憶し、
前記受信したコマンドに基づく印刷データを特定するための情報を入力し、
前記受信したコマンドに印刷データ識別子が含まれていた場合、前記印刷データを特定するための情報の入力に応じて前記ファイルサーバから該印刷データ識別子に対応する印刷データを取り込み、
前記受信したコマンドに応じて前記記憶された印刷データ或いは前記取り込んだ印刷データに基づき出力用紙上に画像を印刷する画像形成方法。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】